(57)【要約】【課題】装置を停止させることなくカセットの取引準備金の補充やメンテナンスが可能となる現金自動取引装置のカセット着脱構造を提供する。【解決手段】硬貨を収納したカセット９と、カセット９から排出される硬貨を装置前面の出金口まで搬送する搬送路を有した硬貨出金機１１と、を装置本体２に内蔵した現金自動取引装置において、硬貨出金機１１は装置本体２の後面から引き出し可能に構成され、カセット９は引き出された状態の硬貨出金機１１に対して横方向に移動して着脱自在に載置される。【選択図】図５
2009289100.tif 000002
【特許請求の範囲】
【請求項１】
貨幣を収納したカセットと、
前記カセットから排出される貨幣を装置前面の出金口まで搬送する搬送路を有した貨幣出金機と、
を装置本体に内蔵した現金自動取引装置において、
前記貨幣出金機は前記装置本体の後面から引き出し可能に構成され、
前記カセットは引き出された状態の貨幣出金機に対して着脱自在に載置されることを特徴とする現金自動取引装置のカセット着脱構造。
【請求項２】
前記搬送路は、前記カセットの底部に形成された貨幣排出用の開口部の下方から後方に延び、前記カセットの後方で上方に立ち上がったうえで前方に延びて前記出金口に至る経路として形成され、
前記カセットは、前記貨幣出金機に実装された際にその上面、後面および下面が前記搬送路に対向するように位置することを特徴とする請求項１に記載の現金自動取引装置のカセット着脱構造。
【請求項３】
前記貨幣出金機はこの貨幣出金機の横方向に引き出し可能なカセットトレイを備え、
前記カセットは引き出された前記カセットトレイに着脱自在に載置されることを特徴とする請求項２に記載の現金自動取引装置のカセット着脱構造。
【請求項４】
前記貨幣出金機は上下方向に移動可能でかつ貨幣出金機の横方向に傾動可能なカセットトレイを備え、
前記カセットは、実装時においては上昇して水平状態の前記カセットトレイに載置され、着脱時においては下降後に傾動させた前記カセットトレイに着脱されるように、斜めに挿脱される構成としたことを特徴とする請求項２に記載の現金自動取引装置のカセット着脱構造。
【請求項５】
前記貨幣出金機は、前記装置本体の後面から引き出された状態で鉛直軸回りに回転可能に構成され、かつこの貨幣出金機の前方向に引き出し可能なカセットトレイを備え、
前記カセットは、前記装置本体に対して所定角度回転した状態の前記貨幣出金機から引き出された前記カセットトレイに着脱自在に載置されることを特徴とする請求項２に記載の現金自動取引装置のカセット着脱構造。
【発明の詳細な説明】
【技術分野】
【０００１】
本発明は、コンビニエンスストアなどの２４時間稼動店舗をはじめとした様々な場所に設置される現金自動取引装置のカセット着脱構造に関する。
【背景技術】
【０００２】
近年、現金自動取引装置をコンビニエンスストアなどの狭い空間に設置するケースが増えていることから、現金自動取引装置には低コスト化に加えて従来の機能や性能を保持したうえでの小型化の要求が高まっており、装置内部に組み込まれる硬貨出金機などの貨幣処理機にも省スペース化が求められている。現金自動取引装置の一従来例としては、例えば特許文献１に記載のものが挙げられる。
【特許文献１】特開平７−１２９８１９号公報
【発明の開示】
【発明が解決しようとする課題】
【０００３】
従来の現金自動取引装置では、現金を収納したカセットの着脱は装置前面のメンテナンス扉を開けて行っているため、取引用準備金の補充やメンテナンスなどでカセットを交換する際には保守員が必ず現金自動取引装置の前面に居ることになる。したがって、例えば硬貨用のカセットと紙幣用のカセットの内で硬貨用のカセットのみ交換するような場合であっても、保守員が装置前面のスペースに居ることにより紙幣のみの運用継続も不可能となって全取引サービスの中断となるうえ、顧客に悪印象を与えるおそれもある。
【０００４】
本発明は、以上のような問題を解決するために創作されたものであり、小型化を図ったうえで、装置を全停止させることなくカセットの取引準備金の補充やメンテナンスが可能となる現金自動取引装置のカセット着脱構造を提供することを目的としている。
【課題を解決するための手段】
【０００５】
本発明の手段は、前記課題を解決するため、貨幣を収納したカセットと、前記カセットから排出される貨幣を装置前面の出金口まで搬送する搬送路を有した貨幣出金機と、を装置本体に内蔵した現金自動取引装置において、前記貨幣出金機は前記装置本体の後面から引き出し可能に構成され、前記カセットは引き出された状態の貨幣出金機に対して着脱自在に載置されることを特徴とする現金自動取引装置のカセット着脱構造とした。
【０００６】
このカセット着脱構造によれば、取引用準備金の補充やメンテナンスなどは現金自動取引装置の後方で行われることとなるので、現金自動取引装置の前面スペースは通常の全取引サービス提供時と何ら変わらず、したがって、その他の取引サービス、例えば残高照会取引などについては継続して顧客に提供できる。
【０００７】
また、前記搬送路は、前記カセットの底部に形成された貨幣排出用の開口部の下方から後方に延び、前記カセットの後方で上方に立ち上がったうえで前方に延びて前記出金口に至る経路として形成され、前記カセットは、前記貨幣出金機に実装された際にその上面、後面および下面が前記搬送路に対向するように位置することを特徴とする現金自動取引装置のカセット着脱構造とした。
【０００８】
貨幣の搬送路をカセットの下方、後方および上方を経由する搬送路とし、カセットを、その上面、後面および下面が搬送路と対向するように実装することで、貨幣出金機の小型化が図れる。
【０００９】
また、前記貨幣出金機はこの貨幣出金機の横方向に引き出し可能なカセットトレイを備え、前記カセットは引き出された前記カセットトレイに着脱自在に載置されることを特徴とする現金自動取引装置のカセット着脱構造とした。
【００１０】
このカセット着脱構造によれば、カセットトレイを貨幣出金機に対して横方向に引き出し可能に構成したことにより、貨幣出金機自体を後方へ引き出した後にカセットを横移動させ、貨幣出金機と干渉することなく上方に持ち上げて取り出すことができる。
【００１１】
また、前記貨幣出金機は上下方向に移動可能でかつ貨幣出金機の横方向に傾動可能なカセットトレイを備え、前記カセットは、実装時においては上昇して水平状態の前記カセットトレイに載置され、着脱時においては下降後に傾動させた前記カセットトレイに着脱されるように、斜めに挿脱される構成としたことを特徴とする現金自動取引装置のカセット着脱構造とした。
【００１２】
このカセット着脱構造によれば、カセットトレイを貨幣出金機に対して横方向に傾動可能に構成したことにより、貨幣出金機自体を後方へ引き出した後にカセットを貨幣出金機と干渉することなく斜め上方に持ち上げて取り出すことができる。カセットトレイを引き出すことなくカセットを取り出せることから、カセットの着脱に要するスペースが小さくて済む。
【００１３】
また、前記貨幣出金機は、前記装置本体の後面から引き出された状態で鉛直軸回りに回転可能に構成され、かつこの貨幣出金機の前方向に引き出し可能なカセットトレイを備え、前記カセットは、前記装置本体に対して所定角度回転した状態の前記貨幣出金機から引き出された前記カセットトレイに着脱自在に載置されることを特徴とする現金自動取引装置のカセット着脱構造とした。
【００１４】
このカセット着脱構造によれば、貨幣出金機を装置本体から引き出した後に鉛直軸回りに回転させる構造とし、かつカセットトレイを貨幣出金機に対して前方向に引き出すようにしたので、貨幣出金機からカセットトレイを前方向に引き出して装置本体の前面でカセットを交換する従来既存の現金自動取引装置に対して容易に本発明を適用できる。
【発明の効果】
【００１５】
本発明によれば、取引用準備金の補充やメンテナンスなどが現金自動取引装置の後方で行われるので、他の取引サービスについてはそのまま継続して顧客に提供できる。
【発明を実施するための最良の形態】
【００１６】
図１は現金自動取引装置１の一例を示す外観斜視図である。図に示した現金自動取引装置１は、コンビニエンスストア、スーパーマーケット、駅構内、金融機関の無人店舗などに設置されるものであって、出金専用として用いられるものである。
【００１７】
現金自動取引装置１は、筐体としての装置本体２の前面側に操作表示画面３、カード情報読取部４、印字部５、入力操作用のテンキー６、それぞれスライドシャッタ付きの硬貨出金口７および紙幣出金口８などが設けられており、装置本体２の内部には取引用準備金を収納したボックス形状のカセット９、１０が装着される。
【００１８】
カード情報読取部４は、顧客情報などが記録された取引カードを受け入れまたは排出するスリット状の挿入部を有し、挿入された取引カードのデータの読み取りなどを行う。印字部５では取引後の明細票などが印字され、排出される。硬貨出金口７と紙幣出金口８は装置本体２の前面において左右方向に並設されており、硬貨を収納したカセット９と紙幣を収納したカセット１０もそれぞれ硬貨出金口７、紙幣出金口８の下方に位置するようにして左右方向に並設される。
【００１９】
図２は、現金自動取引装置１に内蔵され、硬貨をカセット９から硬貨出金口７まで搬送する機能を担う硬貨出金機１１の側面説明図である。硬貨出金機１１は特許請求の範囲に記載の「貨幣出金機」に相当する。カセット９の内部は、ホッパ９Ａに装填された硬貨を底部の開口部９Ｂから落下させる構造となっており、ホッパ９Ａは例えば硬貨の種類ごとに複数形成されている。
【００２０】
硬貨出金機１１は、カセット９の開口部９Ｂから落下した硬貨を、カセット９の後方および上部を経由させて硬貨出金口７まで搬送する搬送路１２を有する。具体的に説明すると、硬貨の搬送路１２は一対のエンドレスのゴムベルト１３、１４から構成されている。一方のゴムベルト１３は、複数のガイドローラ１５に掛け回されることにより、カセット９の開口部９Ｂの下方から後方に略水平状に延び、カセット９の後方で上方に立ち上がったうえで前方に延びて硬貨出金口７の後部に至る。硬貨出金口７の後部に位置するローラ、つまり搬送路１２の終点に位置するローラは駆動ローラ１５Ａとして構成される。他方のゴムベルト１４は、後寄りの経路が複数のガイドローラ１６に掛け回されることで形成され、前寄りの経路はゴムベルト１３に密着するようにして前記ガイドローラ１５の一部に掛け回される（図２では判りやすくするためにゴムベルト１３とゴムベルト１４との密着面に隙間を設けて図示してある）。
【００２１】
硬貨出金機１１において、硬貨出金口７の下部には駆動モータ１７が配設されており、その出力軸には駆動ギア１８が軸着されている。駆動ギア１８には従動ギア１９が噛合し、従動ギア１９の回転軸に軸着されたプーリ２０と、駆動ローラ１５Ａに対して同軸に取り付けられたプーリ２１との間に駆動ベルト２２が掛け回される。
【００２２】
以上により、駆動モータ１７の駆動力が駆動ベルト２２を介して駆動ローラ１５Ａに伝達されることでゴムベルト１３とこれに密着するゴムベルト１４が周回し、カセット９の開口部９Ｂから落下した硬貨はゴムベルト１３とゴムベルト１４との密着面に挟み込まれながら硬貨出金口７まで搬送される。
【００２３】
このように、硬貨出金機１１はカセット９の下方、後方および上方を経由する搬送路１２を有して、概ねその外郭形状が前方を開口させたコの字形状を呈しており、その内側空間にカセット９が実装される構造となっている。つまり、カセット９の上面、後面および下面が搬送路１２と対向するように実装される。搬送路１２をカセット９の後方に経由させる理由は、カセット９の左右側に経由させた場合には紙幣用の出金機（図示せず）などが存在するため現金自動取引装置１の幅寸法が大きくなるという問題があり、カセット９の前方に経由させた場合には、搬送路１２の立ち上がり部が現金自動取引装置１の前面に形成される硬貨出金口７の直下に形成されることとなるので、搬送してきた硬貨を硬貨出金口７内に落とし込み可能となるように搬送路１２の終点を引き回すことがレイアウト的に困難なことによる。つまり、カセット９の下方、後方および上方を経由する搬送路１２とすることで硬貨出金機１１の小型化が図れることとなる。
【００２４】
以上の構成からなる現金自動取引装置１では、カセット９の前方には搬送路１２が存在しないことから、カセット９のみを容易に前方に引き出すことができる。しかしながら、カセット９を前方に引き出す構造とすると、取引用準備金の補充やメンテナンスなどでカセット９を交換する際に保守員が現金自動取引装置１の前面に居ることになり、全取引サービスを中断せざるを得ないことについては既述した通りである。
【００２５】
この問題に対し本発明は、硬貨出金機１１を装置本体２の後面から引き出し可能に構成し、カセット９を、引き出された状態の硬貨出金機１１に対して着脱自在に載置する構成としたことを主な特徴とする。その具体的構造について以下に３つの実施例を示して説明する。
【００２６】
「第１実施例」
図３ないし図５は第１実施例に係る図面であり、図３は装置本体２の後面から硬貨出金機１１を引き出した状態を示す側面図、図４は硬貨出金機１１からカセットトレイ３１を引き出した状態を示す背面図である。また、図５において（ａ）は装置本体２の後面から硬貨出金機１１を引き出した状態を示す斜視図、（ｂ）は（ａ）の状態からカセットトレイ３１を引き出した状態を示す斜視図である。
【００２７】
硬貨出金機１１は例えば出金機載置トレイ２３に載置される。装置本体２内には出金機載置トレイ２３の前後方向の移動をガイドするガイドレール２４が形成されており、装置本体２の後面の扉２５を開いたうえで、出金機載置トレイ２３に載置された状態の硬貨出金機１１が後方に引き出される。
【００２８】
硬貨出金機１１はこの硬貨出金機１１の横方向に引き出し可能なカセットトレイ３１を備えており、カセット９は引き出された状態のカセットトレイ３１に着脱自在に載置される。勿論、カセットトレイ３１には、カセット９から搬送路１２へ硬貨を落下させるための貫通孔（図示せず）が形成されている。カセットトレイ３１は、硬貨出金機１１の左右の横方向の内でどちらの側に引き出してもよいが、装置本体２の幅内に収まるように装置本体２の幅方向中央に向けて引き出す態様が好ましい。場合によっては、カセットトレイ３１を硬貨出金機１１の左右のどちらにも引き出し可能な構造にしてもよい。
【００２９】
硬貨出金機１１には、カセットトレイ３１の横方向の移動をガイドするガイドレール３２が設けられる。また、カセットトレイ３１には、カセット９が硬貨出金機１１に実装された際にカセットトレイ３１を硬貨出金機１１に固定するためのロック機構３３が設けられる。ロック機構３３としては、例えば図４に示すように操作用レバー３４により回動する係合部３５を硬貨出金機１１側の被係合部（図示せず）に係合させるなどの構造が用いられる。
【００３０】
以下にカセット９を着脱する際の作用を説明する。先ず現金自動取引装置１に実装されているカセット９内の取引用準備金が規定の硬貨枚数以下になると、現金自動取引装置１は、硬貨の出金運用が不可で、その他の運用、例えば紙幣の出金運用や残高照会運用などは継続可能な「硬貨縮退運用」に移行し、硬貨の出金取引ができなくなった旨が操作表示画面３（図１）に表示される。
【００３１】
その後、例えば現金自動取引装置１を据え付けた壁面Ｗ（図３）の裏側において、装置本体２の後面から硬貨出金機１１を引き出し、操作用レバー３４を回してカセットトレイ３１のロックを解除し、カセットトレイ３１を横方向に引き出す。この引き出されたカセットトレイ３１からカセット９を上方に持ち上げて取り出し、この取り出したカセット９の内部に取引用準備金を補充して、或いは別の補充済みのカセット９をカセットトレイ３１に載置し、カセットトレイ３１を押し込んで元に戻す。ロック機構３３によりカセットトレイ３１は硬貨出金機１１に固定される。その後、硬貨出金機１１を装置本体２内に戻すと、現金自動取引装置１は通常運用に復帰する。
【００３２】
以上のように第１実施例によれば、カセットトレイ３１を硬貨出金機１１に対して横方向に引き出し可能に構成したことにより、硬貨出金機１１自体を後方へ引き出した後にカセット９を横移動させ、硬貨出金機１１と干渉することなく上方に持ち上げて取り出すことができる。
【００３３】
取引用準備金の補充やメンテナンスなどは現金自動取引装置１の後方で行われることとなるので、現金自動取引装置１の前面スペースは通常の全取引サービス提供時と何ら変わらず、したがって、その他の取引サービス、例えば紙幣の出金取引や残高照会取引などについては継続して顧客に提供できる。
【００３４】
「第２実施例」
図６ないし図８は第２実施例に係る図面であり、図６は装置本体２の後面から硬貨出金機１１を引き出した状態を示す側面図、図７において（ａ）は装置本体２の後面から硬貨出金機１１を引き出した状態を示す斜視図、（ｂ）は（ａ）の状態からカセットトレイ４１を下げて傾動させた状態を示す斜視図である。また、図８（ａ）〜（ｃ）はカセットトレイ４１の動作説明図であり、各左図は側面図、各右図は背面図である。第１実施例と同一構成の部材については同一の符号を付してその説明は省略する。
【００３５】
第１実施例と同様に、硬貨出金機１１は例えば出金機載置トレイ２３に載置される。装置本体２内には出金機載置トレイ２３の前後方向の移動をガイドするガイドレール２４が形成されており、装置本体２の後面の扉２５を開いたうえで、出金機載置トレイ２３に載置された状態の硬貨出金機１１が後方に引き出される。
【００３６】
この第２実施例では、硬貨出金機１１は上下方向に移動可能でかつ硬貨出金機１１の横方向に傾動可能なカセットトレイ４１を備える。カセットトレイ４１は、カセット９の実装時においては上昇して水平状態となり、カセット９の着脱時においては下降して傾動状態となる。
【００３７】
カセットトレイ４１の可動構造の一例を説明すると、硬貨出金機１１には前後方向に沿う一対の支軸４２が形成され、この支軸４２回りに回転可能にばね収容トレイ４３が取り付けられている。一対の支軸４２の先端はばね収容トレイ４３の内部に突出しており、この支軸４２の先端に上下方向に長手の長孔４４を介してカセットトレイ４１がばね収容トレイ４３に内嵌するかたちで取り付けられる。カセットトレイ４１とばね収容トレイ４３の底部との間には、カセットトレイ４１を常時上方に付勢する板ばね４５などの付勢部材が設けられる。なお、カセットトレイ４１、ばね収容トレイ４３および板ばね４５には、カセット９から搬送路１２へ硬貨を落下させるための貫通孔（図示せず）が適宜に形成されている。
【００３８】
カセットトレイ４１は、硬貨出金機１１の左右の横方向の内でどちらの側に傾動させてもよいが、カセット９の着脱行為がなるべく装置本体２の幅内に収まるように装置本体２の幅方向中央に向けて傾動する態様が好ましい。場合によっては、カセットトレイ４１を硬貨出金機１１の左右のどちらにも傾動可能な構造にしてもよい。
【００３９】
カセット９を着脱する際の作用を説明する。先ず現金自動取引装置１を据え付けた壁面Ｗ（図６）の裏側において、装置本体２の後面から硬貨出金機１１を引き出す。この段階では、図８（ａ）に示すように、板ばね４５の付勢力によりカセットトレイ４１が上方に付勢され、カセット９の上面が硬貨出金機１１に接して位置決めされている。
【００４０】
次いで、図８（ｂ）に示すようにカセット９の側面に鍵４６を差し込み、この鍵４６を介してカセット９およびカセットトレイ４１を板ばね４５の付勢力に抗して押し下げる。なお、支軸４２は長孔４４の下端から上端に位置している。カセット９が下がることによりカセット９の上面と硬貨出金機１１との間に隙間ができるので、カセット９の支軸４２回りの傾動が可能となり、図８（ｃ）に示すように鍵４６を介してカセット９、カセットトレイ４１、ばね収容トレイ４３を支軸４２回りに傾動させる。そして、この傾動したカセットトレイ４１からカセット９を硬貨出金機１１と干渉しないように斜めに持ち上げて取り出す。
【００４１】
その後、この取り出したカセット９の内部に取引用準備金を補充して、或いは別の補充済みのカセット９をカセットトレイ４１に載置し、カセットトレイ４１を水平にかつ上昇させることで図８（ａ）の状態に戻す。なお、カセット９の水平位置と傾動位置の各位置決めを行うように、ばね収容トレイ４３と硬貨出金機１１との間にはボールラッチなどを用いた位置決め機構が適宜に設けられる。
【００４２】
以上のように第２実施例によれば、カセットトレイ４１を硬貨出金機１１に対して横方向に傾動可能に構成したことにより、硬貨出金機１１自体を後方へ引き出した後にカセット９を硬貨出金機１１と干渉することなく斜め上方に持ち上げて取り出すことができる。第１実施例のようにカセットトレイを横方向に引き出すことなくカセット９を取り出せることから、カセット９の着脱に要するスペースが小さくなり、幅寸法の小さい現金自動取引装置１に有効な着脱構造となる。
【００４３】
「第３実施例」
図９ないし図１１は第３実施例に係る図面であり、図９は装置本体２の後面から硬貨出金機１１を引き出した状態を示す側面図、図１０は装置本体２の後面から硬貨出金機１１を引き出して回転させた状態を示す平面図、図１１において（ａ）は装置本体２の後面から硬貨出金機１１を引き出した状態を示す斜視図、（ｂ）は（ａ）の状態から硬貨出金機１１を回転させ、カセットトレイ５１を引き出した状態を示す斜視図である。第１実施例と同一構成の部材については同一の符号を付してその説明は省略する。
【００４４】
第１実施例と同様に、硬貨出金機１１は例えば出金機載置トレイ２３に載置される。装置本体２の内部には出金機載置トレイ２３の前後方向の移動をガイドするガイドレール２４が形成されており、装置本体２の後面の扉２５を開いたうえで、出金機載置トレイ２３に載置された状態の硬貨出金機１１が後方に引き出される。
【００４５】
この第３実施例では、硬貨出金機１１は、装置本体２の後面から引き出された状態で鉛直軸２６回りに回転可能に構成され、かつこの硬貨出金機１１の前方向に引き出し可能なカセットトレイ５１を備える。そして、カセット９は、装置本体２に対して所定角度回転した状態の硬貨出金機１１から引き出されたカセットトレイ５１に対して着脱自在に載置される。この第３実施例は、装置本体２の後方スペースに余裕がある場合に有効である。
【００４６】
出金機載置トレイ２３には鉛直軸２６が形成されており、この鉛直軸２６に回転トレイ２７が回転可能に取り付けられる。回転トレイ２７には硬貨出金機１１が載置される。鉛直軸２６は概ね硬貨出金機１１の後方下部に位置する。硬貨出金機１１には、カセットトレイ５１の硬貨出金機１１からの前方向の移動をガイドするガイドレール５２が設けられる。
【００４７】
カセット９を着脱する際の作用を説明する。先ず、図１１（ａ）に示すように装置本体２の後面から硬貨出金機１１を引き出す。次いで、図１１（ｂ）に示すように硬貨出金機１１を載置した回転トレイ２７を鉛直軸２６回りに９０度回転させて、硬貨出金機１１の向きを装置本体２の幅方向に沿わせた後、カセットトレイ５１を硬貨出金機１１の前方向に、つまり装置本体２の幅方向に引き出す。この引き出されたカセットトレイ５１からカセット９を上方に持ち上げて取り出し、取り出したカセット９の内部に取引用準備金を補充して、或いは別の補充済みのカセット９をカセットトレイ５１に載置し、カセットトレイ５１を押し込んで元に戻す。次いで、回転トレイ２７を元の位置まで回転させてから硬貨出金機１１を装置本体２内に戻す。
【００４８】
以上のように第３実施例によれば、硬貨出金機１１を装置本体２から引き出した後に鉛直軸２６回りに回転させる構造とし、かつカセットトレイ５１を硬貨出金機１１に対して前方向に引き出すようにしたので、硬貨出金機１１からカセットトレイを前方向に引き出して装置本体２の前面でカセット９を交換する従来既存の現金自動取引装置に対して容易に本発明を適用できる。すなわち、硬貨出金機１１の後方へのスライド機構と回転機構を新たに付加するだけで済み、カセットトレイ５１のスライド機構については従来構造のものをそのまま利用できるので、経済的な現金自動取引装置１を実現できる。
【００４９】
なお、硬貨出金機１１の回転角度は９０度に限られず、９０度未満の場合や例えば１８０度回転させてカセットトレイ５１を装置本体２と直交するように後方に引き出す態様にしてもよい。
【００５０】
以上、本発明について最良の実施形態を説明した。本発明のカセット着脱構造は、貨幣の搬送路が、カセットの底部に形成された貨幣排出用の開口部の下方から後方に延び、カセットの後方で上方に立ち上がったうえで前方に延びて出金口に至る経路を有した構造の貨幣出金機に対して特に有効であり、カセットを着脱するにあたり該構造の貨幣出金機との干渉を簡易な機構で回避できるものである。
【００５１】
また、実施形態では硬貨出金機について説明したが、紙幣出金機についても本発明は適用可能である。
【図面の簡単な説明】
【００５２】
【図１】現金自動取引装置の一例を示す外観斜視図である。
【図２】現金自動取引装置に内蔵された硬貨出金機の側面説明図である。
【図３】第１実施例に係る図面であり、装置本体の後面から硬貨出金機を引き出した状態を示す側面図である。
【図４】第１実施例に係る図面であり、硬貨出金機からカセットトレイを引き出した状態を示す背面図である。
【図５】第１実施例に係る図面であり、（ａ）は装置本体の後面から硬貨出金機を引き出した状態を示す斜視図、（ｂ）は（ａ）の状態からカセットトレイを引き出した状態を示す斜視図である。
【図６】第２実施例に係る図面であり、装置本体の後面から硬貨出金機を引き出した状態を示す側面図である。
【図７】第２実施例に係る図面であり、（ａ）は装置本体の後面から硬貨出金機を引き出した状態を示す斜視図、（ｂ）は（ａ）の状態からカセットトレイを下げて傾動させた状態を示す斜視図である。
【図８】第２実施例に係る図面であり、（ａ）〜（ｃ）はカセットトレイの動作説明図であり、各左図は側面図、各右図は背面図である。
【図９】第３実施例に係る図面であり、装置本体の後面から硬貨出金機を引き出した状態を示す側面図である。
【図１０】第３実施例に係る図面であり、装置本体の後面から硬貨出金機を引き出して回転させた状態を示す平面図である。
【図１１】第３実施例に係る図面であり、（ａ）は装置本体の後面から硬貨出金機を引き出した状態を示す斜視図、（ｂ）は（ａ）の状態から硬貨出金機を回転させ、カセットトレイを引き出した状態を示す斜視図である。
【符号の説明】
【００５３】
１      現金自動取引装置
２      装置本体
７      硬貨出金口
８      紙幣出金口
９      カセット（硬貨用）
１０      カセット（紙幣用）
１１      硬貨出金機（貨幣出金機）
１２      搬送路
２３      出金機載置トレイ
２４      ガイドレール
３１、４１、５１  カセットトレイ
３２      ガイドレール
４３      ばね収容トレイ
４５      板ばね
【図１】
2009289100.tif 000003
【図２】
2009289100.tif 000004
【図３】
2009289100.tif 000005
【図４】
2009289100.tif 000006
【図５】
2009289100.tif 000007
【図６】
2009289100.tif 000008
【図７】
2009289100.tif 000009
【図８】
2009289100.tif 000010
【図９】
2009289100.tif 000011
【図１０】
2009289100.tif 000012
【図１１】
2009289100.tif 000013